(57)【要約】【課題】側壁上端の開口端部の上面が露出せず、体裁良くかつ衛生的に使用でき、しかも隣接する容器同士が接触するときの蓋体同士の衝接する力を低減でき、蓋体の浮き上がり防止の効果も発揮できるようにする。【解決手段】上方に開口する容器本体１０と、容器本体１０の側壁上端の開口端部１１の上面１１ａに載接する周縁部２１及び開口端部１１に対する内嵌合部２２を有する蓋体２０とよりなる発泡樹脂製の容器であって、蓋体２０の周縁部２１の下端外形を容器本体１０の開口端部１１の外形と平面同形とし、蓋体２０の周縁部２１による外周側面を上方に向かって内方に傾斜したテーパ状の傾斜面２３をなすものとする。【選択図】図２
2011057262.tif 000002
【特許請求の範囲】
【請求項１】
上方に開口する容器本体と、容器本体の側壁上端の開口端部の上面に載接する周縁部及び前記開口端部に対する内嵌合部を有する蓋体とよりなる発泡樹脂製の容器であって、
前記蓋体の周縁部の下端外形が容器本体の開口端部の外形と少なくとも一方の対向する２辺で平面同形をなし、前記蓋体の周縁部による外周側面が上方に向かって内方に傾斜したテーパ状の傾斜面をなしていることを特徴とする発泡樹脂製の容器。
【請求項２】
前記蓋体の外周側面は、少なくとも一方の対向する２辺において、前記周縁部の下面に対する垂直面を下部を残して、上部が前記垂直面に対して内方に傾斜したテーパ状の傾斜面に形成されている請求項１に記載の発泡樹脂製の容器。
【請求項３】
前記蓋体の外周側面における下部の垂直面の上下方向幅が、前記周縁部の厚みの１／１０以上、１／３以下である請求項２に記載の発泡樹脂製の容器。
【請求項４】
前記蓋体の外周側面における傾斜面は、該傾斜面から蓋体上面への屈曲連続部が、容器本体に蓋体を被着した状態において容器本体の側壁内面の上方位置より外方にあるように形成されている請求項１〜３のいずれか１項に記載の発泡樹脂製の容器。
【請求項５】
前記屈曲連続部が、容器本体に蓋体を被着した状態において、前記容器本体の側壁内面の上方位置より容器本体の側壁の厚みの１／３〜２／３の寸法分外方にあるように形成されてなる請求項４に記載の発泡樹脂製の容器。
【請求項６】
前記容器本体の側壁の外周側面は、前記開口端部の上面に対する垂直面を上端部に残して、下方に向かってテーパ状の傾斜面をなしている請求項１〜５のいずれか１項に記載の発泡樹脂製の容器。
【請求項７】
前記容器本体の外周側面における垂直面の上下方向幅が、前記蓋体の外周側面における垂直面の上下方向幅の１．０〜５．０倍である請求項６に記載の発泡樹脂製の容器。
【請求項８】
上方に開口し、側壁上端の開口端部の上面に、周縁部の少なくとも一部が前記開口端部の外側と平面同形をなすように内嵌合される蓋体を有する発泡樹脂製の容器に用いられる容器本体であって、
側壁の外周側面は、前記開口端部の上面に対する垂直面を上端部に残し、下方に向かってテーパ状の傾斜面をなしている発泡樹脂製の容器本体。
【請求項９】
前記容器本体の外周側面における垂直面の上下方向幅が、前記蓋体の外周側面における周縁部の下面に対する垂直面の上下方向幅の１．０〜２．０倍である請求項８に記載の発泡樹脂製の容器本体。
【発明の詳細な説明】
【技術分野】
【０００１】
本発明は、各種物品の物流用および搬送および保管用等に使用される発泡樹脂製の容器および容器本体に関するものである。
【背景技術】
【０００２】
従来より、農産物や水産物の輸送、保管に使用される保冷容器その他の各種物品の物流用の容器として、上方に開口する容器本体と、容器本体の開口端部の上面に載接する周縁部及び前記開口端部に対する内嵌合部を有する蓋体とよりなる発泡樹脂製の容器が知られている。かかる発泡樹製の容器は、軽量て取扱易くて断熱性にも優れていることから、農産物や水産物の保冷容器のほか、食品搬送用容器、食品保冷容器、保温容器その他の各種の物品の物流用および搬送および保管用等の容器として広く使用されている。
【０００３】
ところで、かかる容器において、容器本体の開口端部の外形と、これに内嵌合して被着される蓋体の外形とが同形であり、蓋体被着状態においては、蓋体の外周側面が容器本体の外周側面とほぼ同一面上に一致しているのが普通である。そのため、多数の容器を並べて輸送する場合において、輸送時の振動等によって隣接する容器同士が揺動しながら接触するときには、蓋体の外周側面同士が広い面で揺動により擦れあいながら衝接することになり、この衝接が繰り返されることで、蓋体が浮き上がることがあった。
【０００４】
また、前記の各種の商品の収納および出荷作業においては、例えばベルトコンベアで容器を並べて搬送し、搬送される容器内に出荷対象の商品を入れ、蓋を被せて、コンベアの終点まで搬送し、これを出荷することがのであるが、この際、コンベアの終点のところで、容器同士が衝接することで、蓋体が外れることがあった。
【０００５】
仮に蓋体の浮き上がりが生じると、密封性を損ない、保冷容器として使用されている場合には保冷効果が損なわれることになる。
【０００６】
このような問題を解決するために、蓋体を容器本体の開口端部に対し内嵌合して被着した際に、蓋体の外周側面が容器本体の外周側面より僅かに内方にあるように、容器本体の外形と蓋体との外形に寸法差をつけて、隣接する容器同士が接触するときに、容器本体に被着されている蓋体の外周側面同士が衝接しない構造にすることにより、蓋体の外周側面同士の衝接による蓋体の浮き上がりを防止することが提案されている（特許文献１）。
【０００７】
しかしながら、前記提案のように、容器本体の外形と蓋体との外形に寸法差をつけると、その寸法差のために、容器本体に蓋体を内嵌合して被着した際に容器本体の開口端部の上面が露出状態に現れることになる。そのため、浮き上がり防止には効果があるものの、開口端部の上面の露出部分に埃が溜まり易く、特に食品関係の容器としては不衛生であり、外観的にも不体裁である。また、この種の発泡樹脂製の容器は、保冷容器として使用されることが多く、この保冷容器としての使用において予冷を実施した場合に、前記開口端部上面の露出部分に結露が生じてそのまま凍結してしまい、蓋体が開かなくなることもある。
【先行技術文献】
【特許文献】
【０００８】
【特許文献１】特許第３８０５３９５号公報
【発明の概要】
【発明が解決しようとする課題】
【０００９】
本発明は、上記に鑑みてなしたものであり、蓋体を容器本体に対して内嵌合して被着した状態において、側壁上端の開口端部の上面が露出することがなく、体裁良くかつ衛生的に使用でき、しかも、輸送時の振動等によって隣接する容器同士が接触するときの蓋体同士の衝接する面積を小さくして衝接による影響を受け難くし、蓋体の浮き上がり防止効果も充分に発揮できる発泡樹脂製の容器および容器本体を提供するものである。
【課題を解決するための手段】
【００１０】
上記の課題を解決する本発明は、上方に開口する容器本体と、容器本体の側壁上端の開口端部の上面に載接する周縁部及び前記開口端部に対する内嵌合部を有する蓋体とよりなる発泡樹脂製の容器であって、前記蓋体の周縁部の下端外形が容器本体の開口端部の外形と平面同形をなし、前記蓋体の周縁部による外周側面が少なくとも一方の対向する２辺で上方に向かって内方に傾斜したテーパ状の傾斜面をなしていることを特徴とする。
【００１１】
この容器によれば、蓋体を容器本体に対し内嵌合して被着した状態においては、平面同形をなす蓋体の周縁部の下端外形と容器本体の開口端部の外形とが一致することになって、容器本体の側壁上端の開口端部の上面が露出することがなく、また蓋体の外周側面が容器本体の外周側面より外方にはみ出すことがない。しかも、蓋体の周縁部による外周側面が少なくとも一方の対向する２辺で上方に向かって内方に傾斜したテーパ状の傾斜面をなしているために、多数の容器を並べて輸送する場合等において、前記傾斜面が対向するように並べておくことにより、振動により容器が揺動して隣接する容器同士が前記２辺で接触するとき、蓋体同士は周縁部の下端外形部分が僅かに衝接するだけで、擦れあいながら強く衝接するようなことがなく、そのため、衝接の影響を受け難く、衝接の繰り返しによる蓋体の浮き上がりを防止できる。
【００１２】
前記の発泡樹脂製の容器において、前記蓋体の外周側面は、少なくとも一方の対向する２辺において、前記周縁部の下面に対する垂直面を下部を残して、上部が前記垂直面に対して内方に傾斜したテーパ状の傾斜面に形成されているものとすることができる。これにより、蓋体の浮き上がり防止の効果を損なうことなく、蓋体の周縁部の下端外形部分に従来同様の強度を保有しできる。特に、前記蓋体の外周側面における下部の垂直面の上下方向幅が、前記周縁部の厚みの１／１０以上、１／３以下であるのが、前記の効果上より好ましい。
【００１３】
前記の発泡樹脂製の容器において、前記蓋体の外周側面における傾斜面は、該傾斜面から蓋体上面への屈曲連続部が、容器本体に蓋体を被着した状態において容器本体の側壁内面の上方位置より外方にあるように形成されているものとすることができる。これにより、複数の容器を積み重ねた際に、蓋体のかかる上段容器の積み重ね荷重を下段の容器本体の側壁で支えることができ、蓋体に作用する負担を軽減できる。
【００１４】
特に、前記屈曲連続部が、容器本体に蓋体を被着した状態において、前記容器本体の側壁内面の上方位置より容器本体の側壁の厚みの１／３〜２／３の寸法分外方にあるように形成されていると、蓋体の外周側をテーパ状の傾斜面としたことによる効果を損なうことなく、前記の積み重ね荷重を下段の容器本体の側壁により確実に受支できることになる。
【００１５】
前記の発泡樹脂製の容器において、前記容器本体の外周側面は、前記開口端部の上面に対する垂直面を上端部に残して、下方に向かってテーパ状の傾斜面をなしているものとすることがてきる。前記の場合、特に、前記容器本体の外周側面における垂直面の上下方向幅が、前記蓋体の外周側面における垂直面の上下方向幅の１．０〜５．０倍であるのが好ましい。さらに好ましくは１．０〜２．０倍である。
【００１６】
すなわち、多数の容器を並べて輸送する場合等において、隣接する容器同士が接触するときに、前記容器本体の外周側面の上端部の垂直面同士が衝接することで、この衝接時に蓋体の周縁部の下端外形部分における衝接作用の力が弱くなり、その結果、衝接の繰り返しによる蓋体の浮き上がりを防止の効果が高められる。しかも、前記垂直面が上端部のみであるために、容器本体の成形後の型抜きを阻害することもない。
【００１７】
また、本発明の容器本体は、上方に開口し、側壁上端の開口端部の上面に、周縁部の少なくとも一部が前記開口端部の外側と平面同形をなすように内嵌合される蓋体を有する発泡樹脂製の容器に用いられる容器本体であって、側壁の外周側面は、前記開口端部の上面に対する垂直面を上端部に残し、下方に向かってテーパ状の傾斜面をなしているものである。この容器本体であれば、容器同士が接触するときに、前記容器本体の外周側面の上端部の垂直面同士が衝接することで、蓋体の外周側面同士が衝接するときの力を弱めることができ、衝接の繰り返しによる蓋体の浮き上がりを防止できる。
【００１８】
前記の容器本体において、前記容器本体の外周側面における垂直面の上下方向幅が、前記蓋体の外周側面における周縁部下面に対する垂直面の上下方向幅の１．０〜２．０倍であるものとするのが、成型後の型抜きの容易性の点から好ましい。
【発明の効果】
【００１９】
本発明の発泡樹脂製の容器によれば、蓋体を容器本体に対して内嵌合して被着した状態において、容器本体の側壁上端の開口端部の上面が露出することがないため、前記開口端部の上面に埃が溜まる虞がなく、体裁良くかつ衛生的に使用できる。また、本発明の容器を保冷容器として使用した場合において、予冷時に結露が生じて凍結し、蓋体が開けられなくなるといった虞もない。
【００２０】
しかも、本発明の容器は、蓋体の周縁部による外周側面が上方に向かって内方に傾斜したテーパ状の傾斜面をなしているために、輸送時の振動等により隣接する容器同士が接触するとき、蓋体同士は周縁部の下端外形部分が僅かに衝接するだけで、衝接による影響を殆ど受けることがないため、衝接の繰り返しによる蓋体の浮き上がり防止の効果も発揮できる。
【図面の簡単な説明】
【００２１】
【図１】本発明の発泡樹脂製の容器の蓋体被着状態の一部欠截斜視図である。
【図２】同上容器の断面説明図である。
【図３】同上の一部の拡大断面説明図である。
【図４】本発明の他の実施例を示す一部の拡大断面図である。
【図５】本発明のさらに他の実施例を示す一部の拡大断面図である。
【発明を実施するための形態】
【００２２】
次に本発明の実施の形態を図面に示す実施例に基づいて説明する。
【００２３】
実施例の容器は、例えば発泡ポリスチレン等の発泡樹脂を素材として成形された発泡樹脂製の容器であって、上方に開口する主として平面矩形の容器本体１０と、該容器本体１０の上部開口を閉塞するように被着される蓋体２０とよりなる。
【００２４】
容器本体１０は、全体として図のように四方に側壁１２を有して上方に開口する有底容器である。符号１１は容器本体１０の側壁上端の開口端部を示しており、該開口端部１１に対し前記蓋体２０が内嵌合される。
【００２５】
すなわち、前記蓋体２０は、前記容器本体１０の開口端部１１の上面１１ａに載接する周縁部２１及び前記開口端部１１に対する内嵌合部２２を有しており、該内嵌合部２２が前記開口端部１１に内嵌合することにより、前記周縁部２１の下面２１ａが容器本体１０の開口端部１１の上面１１ａに載接した状態に被着されるように形成されている。前記内嵌合部２２として、図１〜図３のように蓋体２０の下面に周縁部２１に沿って突出形成しておくことも、図４のように蓋体２０の周縁部２１より内方部の全体を開口端部１１の内側に嵌合するように突出形成しておくこともできる。
【００２６】
前記蓋体２０は、図示するように、前記蓋体２０の内嵌合部２２を前記容器本体１０の開口端部１１に内嵌合して被着した状態において、前記開口端部１１の上面１１ａが露出せず、かつ、前記周縁部２１の外周側面が外方へはみ出さないで容器本体１１の外周側面と一致するように、前記周縁部２１の下端外形が容器本体１０の開口端部１１の外形と平面同形をなすように形成されている。そして、前記蓋体２０の周縁部２１による外周側面が、少なくとも一方の対向する２辺、好ましくは図のように四辺の全周で、上方に向かって内方に傾斜したテーパ状の傾斜面２３をなすように形成されている。
【００２７】
図１〜図３の実施例の場合、前記蓋体２０の周縁部２１による外周側面は、前記周縁部２１の下面２１ａに対する垂直面２４を下部に残して、上部が前記垂直面２４に対して内方に傾斜したテーパ状の傾斜面２３として形成されている。
【００２８】
図４の実施例のように、前記蓋体２０の周縁部２１の外周側面の全体をテーパ状の傾斜面２３とすることも可能であるが、この場合、蓋体２０の周縁部２１の下端外周縁が鋭角になり、隣接する容器との衝接等により欠損する虞があるので、実施上は、上記のように下部に垂直面２４を残して上部を傾斜面２３として形成しておくのが、隣接する容器との衝接等による欠損を防止する効果の点から特に好ましい。
【００２９】
前記のように、蓋体２０の周縁部２１の外周側面の下部に垂直面２４を形成しておく場合、該垂直面２４の上下方向幅ａが、前記周縁部２１の上下方向の厚みＴの１／１０以上で１／３以下の幅を有するものが好ましい。すなわち、前記の上下方向幅ａが前記より大きくなると、周縁部２１の外周側面をテーパ状の傾斜面２３としたことによる浮き上がり防止の効果が得られ難く、また前記上下方向幅ａが前記より小さくなると欠損が生じるおそれがある。
【００３０】
前記の蓋体２０の周縁部２１による外周側面における傾斜面２３は、該傾斜面２３から蓋体上面２０ａへの屈曲連続部２５が、容器本体１０に蓋体２０を被着した状態において容器本体１０の側壁１２内面の上方位置よりもやや外方の位置にあるように形成しておくのがよい。
【００３１】
すなわち、蓋体２０を容器本体１０に被着した状態で複数の容器を積み重ねた際に（図３の鎖線）、上段容器の荷重が蓋体２０にかかることになり、前記屈曲連続部２５が容器本体１０の側壁１２の上方位置より内方にあると、積み重ね荷重が蓋体２０の内方部にかかることになって蓋体２０の負担が大きく破損の虞があるが、図示する実施例のように、前記屈曲連続部２５を側壁内面の上方位置より外方に位置するように設定して、前記積み重ね荷重を容器本体１０の側壁１２で支えることができるように形成しておくのが好ましい。
【００３２】
上記の効果の点から、前記屈曲連続部２５が容器本体１０に蓋体２０を被着した状態において、前記容器本体１０の側壁１２内面の上方位置より容器本体１０の側壁１２の厚みの１／３〜２／３の寸法分外方にあるように形成しておくのが好ましい。実施上は、隣接する容器同士の接触による蓋体２０の浮き上がり防止の効果を考慮して、前記傾斜面２３の傾斜角度θを５度以上にして前記屈曲連続部２５の位置を前記のように設定しておくのが好ましい。
【００３３】
なお、前記容器本体１０の側壁１２の外周側面については、図４の実施例のように、通常の成形容器と同様に、成形後の型抜きを考慮して全体として僅かに抜き勾配をつけたテーパ状の傾斜面１３とすることもできるが、この場合、多数の容器を並べて輸送する場合において隣接する容器同士が接触するときに、側壁１２の上端の開口端部１１の部分と、該開口端部１１に載接する蓋体２０の周縁部２１の下端外形の部分でのみ局部的に衝接することになるので、実施上は、図１〜図３のように、側壁１２の上端部に前記開口端部１１の上面に対する垂直面１４を残して、下方に向かってテーパ状の傾斜面１３とするのが好ましい。すなわち、このように形成しておくことにより、隣接する容器同士が接触する際に、前記容器本体１０の側壁１２の上端部の垂直面１４，１４同士が衝接することで、蓋体２０に対する衝接作用の力を軽減でき、蓋体２０の浮き上がり防止の効果を高めることができる。
【００３４】
前記容器本体１０の外周側面における垂直面１４の上下方向幅ｂは、成形後の型抜きを考慮して適宜設定できるが、実施上は、前記蓋体２０の外周側面における垂直面２４の上下方向幅ａの１．０〜５．０倍、好ましく１．０〜２．０倍程度に設定される。
【００３５】
前記の容器本体１０の構造は、周縁部２１の少なくとも一部、すなわち一方の対向する２辺また、四辺の全周において前記開口端部１１の外側と平面同形をなすように内嵌合される蓋体２０を有する発泡樹脂製の容器にも適用でき、この場合も、前記容器本体１０の外周側面における垂直面２４の上下方向幅が、前記蓋体２０の外周側面における周縁部下面に対する垂直面の上下方向幅の１．０〜２．０倍であるものとする。
【００３６】
なお、容器本体１０の開口端部１１に対する蓋体２０の内嵌合部２２による構造としては、図５の実施例のように、容器本体１０の開口端部１１の内周側に切欠段部１６を形成し、他方、蓋体２０の下面に、前記開口端部１１の上面１１ａに載接する周縁部２１の内側に沿って前記切欠段部１６に内嵌合する突起状の内嵌合部２２を設けて実施することもできる。この実施例の場合も、上記した実施例と同様に、前記蓋体２０の周縁部２１の下端外形を容器本体１０の開口端部１１の外形と平面同形とし、さらに前記周縁部２１による外周側面を、図のように下部に垂直面２４を残して上部をテーパ状の傾斜面２３とするか、あるいは外周側面の全体をテーパ状の傾斜面にして実施することができる。また、容器本体１０の側壁１２の外周側面についても、上記した実施例と同様に、上端部に開口端部１１の上面１１ａに対する垂直面１４を残して下部テーパ状の傾斜面１４として形成するか、または外周側面の全体をテーパ状の傾斜面として実施することができる。
【００３７】
前記容器本体１０及び蓋体２０は、任意の発泡樹脂成形体で製作することができるが、熱可塑性樹脂の発泡成形体であることが好ましい。熱可塑性樹脂にはポリスチレン系樹脂、ポリオレフィン系樹脂（例えばポリプロピレン系樹脂、ポリエチレン系樹脂）、ポリエステル系樹脂（例えばポリエチレンテレフタレート、ポリブチレンテレフタレート、ポリエチレンナフタレート）、ポリカーボネート系樹脂、ポリ乳酸系樹脂等が挙げられる。なかでも、ポリスチレンとポリエチレンとを含む複合樹脂を用いることが好ましい。また、前記発泡体の発泡倍率は３〜５０倍が好ましい。また、必要に応じて、前記発泡樹脂の表面に非発泡樹脂の表皮層を設けておくこともできる。
【００３８】
上記した実施例の発泡樹脂製の容器によれば、蓋体２０の内嵌合部２２を容器本体１０の開口端部１１に対し内嵌合して、蓋体２０を容器本体に被着した状態においては、図のように、蓋体２０の周縁部２１が容器本体１０の開口端部１１の上面１１ａに載接した状態で、該周縁部２１の下端外形と容器本体１０の開口端部１１の外形とが一致することになり、容器本体１０の開口端部１１の上面１１ａが露出することがない。また、蓋体２０の周縁部２１の外周側面が容器本体１０の外周側面より外方にはみ出すこともない。そのため、前記開口端部１１の上面に埃が溜まる虞がなく、体裁良くかつ衛生的に使用できる。また、本発明の容器を保冷容器として使用した場合に、予冷時に結露が生じて凍結し、蓋体が開けられなくなる虞もない。
【００３９】
しかも、蓋体２０の周縁部２１による外周側面が、少なくとも一方の対向する２辺、例えば図のように４辺の全周で、上方に向かって内方に傾斜したテーパ状の傾斜面２３をなしているために、埃等が落ちるとともに、多数の容器を並べて輸送する場合等において、前記傾斜面２３を対向させるように並べておくことにより、隣接する容器同士が揺動して接触するとき、蓋体２０の周縁部２１の下端外形部分が僅かに衝接するものの、衝接面積が小さくて擦れあいながら衝接することがなく、そのため蓋体２０を浮き上がらせる作用も小さく、したがって衝接の繰り返しによる蓋体２０の浮き上がりを防止できる。
【００４０】
例えば、各種の商品の出荷の際に、例えばベルトコンベアで容器を並べて搬送し、搬送される容器内に出荷対象の商品を入れ、蓋を被せて、コンベアの終点まで搬送する場合に、コンベアの終点のところで容器同士が衝接しても、蓋体２０が外れることがない。この際、前記容器は、同方向に並べて搬送するため一方の対向する２辺において、蓋体２０の外周側面の一方の対向する２辺にテーパ状の傾斜面２３としておくだけで、前記効果がえられる。
【００４１】
また、前記容器本体１０の側壁１２の外周側面において、側壁１２の上端部に前記開口端部１１の上面に対する垂直面１４を残して、下方に向かってテーパ状の傾斜面１３としておくことにより、隣接する容器同士が接触するときに、前記容器本体１０の外周側面の上端部の垂直面１４同士が衝接することで、この衝接時に蓋体２０の周縁部の衝接作用の力が弱くなり、その結果、衝接の繰り返しによる蓋体２０の浮き上がりを防止できる。しかも、前記垂直面１４が上端部のみであるために、容器本体１０の成形後の型抜きを阻害することもない。
【産業上の利用可能性】
【００４２】
本発明の発泡樹脂製の容器は、農産物や水産物の保冷容器のほか、食品搬送用容器、食品保冷容器、保温容器その他の各種の物品の物流用および搬送および保管用等の容器として広く使用できる。
【符号の説明】
【００４３】
１０…容器本体、１１…開口端部、１１ａ…開口端部の上面、１２…側壁、１３…傾斜面、１４…垂直面、１６…切欠段部、２０…蓋体、２０ａ…蓋体の上面、２１…周縁部、２１ａ…周縁部の下面、２２…内嵌合部、２３…傾斜面、２４…垂直面、２５…屈曲連続部、ａ…垂直面１４の上下方向幅、ｂ…垂直面２４の上下方向幅、Ｔ…周縁部の上下方向の厚み。
【図１】
2011057262.tif 000003
【図２】
2011057262.tif 000004
【図３】
2011057262.tif 000005
【図４】
2011057262.tif 000006
【図５】
2011057262.tif 000007